(57)【要約】【課題】ＰＯＳ機器等を構成する電子機器等を美観よく設置するための電子機器設置什器を提供する。【解決手段】一面にＰＯＳ機器等を構成する電子機器を出し入れ可能な開口部２を備えた略箱形状に形成される電子機器設置什器１であり、電子機器設置什器１には、開口部２側から内部空間の奥行き方向に延びて内部空間を区画する仕切板５が取付けられており、仕切板５が奥側の端部５ａが電子機器設置什器１の背面部３Ａから離間して配置されることで、背面部３Ａ側に電子機器から延びる配線を配置可能な配線集合空間２１が形成されており、電子機器設置什器１には、配線集合空間２１に連通する孔部が形成されている。【選択図】図８
2019145555.tif 000002
【特許請求の範囲】
【請求項１】
一面にＰＯＳ機器等を構成する電子機器を出し入れ可能な開口部を備えた略箱形状に形成される電子機器設置什器であり、
前記電子機器設置什器には、前記開口部側から前記内部空間の奥行き方向に延びて内部空間を区画する仕切板が取付けられており、
前記仕切板が奥側の端部が前記電子機器設置什器の背面部から離間して配置されることで、前記背面部側に前記電子機器から延びる配線を配置可能な配線集合空間が形成されており、
前記電子機器設置什器には、前記配線集合空間に連通する孔部が形成されていることを特徴とする電子機器設置什器。
【請求項２】
前記孔部は、前記背面部に形成され前記電子機器から延びる配線を電気的に接続可能な配線機器が通過可能な貫通孔により構成されていることを特徴とする請求項１に記載の電子機器設置什器。
【請求項３】
前記開口部と前記背面部との間に位置して箱形状を成す４面部には、前記孔部を構成する配線孔が形成されていることを特徴とする請求項１または２に記載の電子機器設置什器。
【請求項４】
前記孔部は、スリットであることを特徴とする請求項１ないし３のいずれかに記載の電子機器設置什器。
【請求項５】
前記開口部と前記背面部との間に位置して箱形状を成す４面部における対向する面部同士の外面には、複数の電子機器設置什器をスタッキングする際に凹凸係合する係合部がそれぞれ形成されていることを特徴とする請求項１ないし４のいずれかに記載の電子機器設置什器。
【発明の詳細な説明】
【技術分野】
【０００１】
本発明は、配線を備えた電子機器を設置する電子機器設置什器に関する。
【背景技術】
【０００２】
例えば、百貨店の化粧品売り場や催事場・物産展、小売店や飲食店等において、商品の販売を管理する所謂ＰＯＳ機器が利用されている。ＰＯＳ機器は、商品の名称や値段の表示等を行うコンピュータと、コンピュータと接続されてレシートを印刷するプリンタ等を備えて構成される（例えば特許文献１）。
【先行技術文献】
【特許文献】
【０００３】
【特許文献１】特許第５４６５３５１号公報（第４頁、第３図）
【発明の概要】
【発明が解決しようとする課題】
【０００４】
このようなＰＯＳ機器を構成する電子機器は、近年では可搬型のものが多く採用されつつあり、その使用態様は机等の上に並べて配置されることが通例であり、電源ケーブルや電子機器同士を接続するための通信ケーブル等の配線が机の上に露出し、美観が悪いという問題があった。
【０００５】
本発明は、このような問題点に着目してなされたもので、ＰＯＳ機器等を構成する電子機器等を美観よく設置するための電子機器設置什器を提供することを目的とする。
【課題を解決するための手段】
【０００６】
前記課題を解決するために、本発明の電子機器設置什器は、
一面にＰＯＳ機器等を構成する電子機器を出し入れ可能な開口部を備えた略箱形状に形成される電子機器設置什器であり、
前記電子機器設置什器には、前記開口部側から前記内部空間の奥行き方向に延びて内部空間を区画する仕切板が取付けられており、
前記仕切板が奥側の端部が前記電子機器設置什器の背面部から離間して配置されることで、前記背面部側に前記電子機器から延びる配線を配置可能な配線集合空間が形成されており、
前記電子機器設置什器には、前記配線集合空間に連通する孔部が形成されていることを特徴としている。
この特徴によれば、ＰＯＳ機器等を構成する電子機器は電子機器設置什器の内部に設置でき、かつ電子機器から延びる配線は、電子機器設置什器の内部に設置された電子機器の後方側に形成された配線集合空間に集めて配置することができる。そのため、電子機器から延びる配線の露出を少なくできるとともに、ＰＯＳ機器を構成する電子機器自体の露出も少なくでき、ＰＯＳ機器を構成する電子機器を美観よく設置することができる。
【０００７】
前記孔部は、前記背面部に形成された前記電子機器から延びる配線を電気的に接続可能な配線機器が通過可能な貫通孔により構成されていることを特徴としている。
この特徴によれば、孔部を構成する貫通孔から配線機器を配線集合空間に挿入し、電子機器から延びる配線を配線機器に接続することで、配線集合空間内において配線をまとめることができる。
【０００８】
前記開口部と前記背面部との間に位置して箱形状を成す４面部には、前記孔部を構成する配線孔が形成されていることを特徴としている。
この特徴によれば、電子機器から延びる配線は孔部を構成する配線孔を通して、電子機器設置什器の周囲から配線集合空間に配置させることができる。
【０００９】
前記孔部は、スリットであることを特徴としている。
この特徴によれば、スリットの形状に沿って電子機器から延びる配線を移動させることができるため、電子機器の設置位置に応じて目立たない位置に配線を位置させることができる。
【００１０】
前記開口部と前記背面部との間に位置して箱形状を成す４面部における対向する面部同士の外面には、複数の電子機器設置什器をスタッキングする際に凹凸係合する係合部がそれぞれ形成されていることを特徴としている。
この特徴によれば、係合部が凹凸係合することで、上下の電子機器設置什器の前後左右方向における相対移動を防止し、安定してスタッキングさせることができる。
【図面の簡単な説明】
【００１１】
【図１】本発明の実施例における電子機器設置什器を示す斜視図である。
【図２】同じく電子機器設置什器を示す平面図である。
【図３】図１に示す平置き態様の電子機器設置什器の底面側を示す断面図である。
【図４】電子機器設置什器を一方向から見た側面図である。
【図５】同じく電子機器設置什器を他方向から見た側面図である。
【図６】電子機器設置什器の背面図である。
【図７】電子機器設置什器の正面図である。
【図８】電子機器設置什器を平置きで使用する場合における電子機器の配置例を示す図である。
【図９】電子機器設置什器を縦置きで使用する場合における電子機器の配置例を示す図である。
【図１０】開口部を上方に向けて電子機器を運搬する際の態様を示す図である。
【図１１】（ａ）は電子機器設置什器を平置きでスタッキングした状態を示す平面図であり、（ｂ）はその際の電子機器の配置例を示す斜視図である。
【図１２】（ａ）は電子機器設置什器を縦置きでスタッキングした状態を示す平面図であり、（ｂ）はその際の電子機器の配置例を示すＡ−Ａ断面図である。
【発明を実施するための形態】
【００１２】
本発明に係る電子機器設置什器を実施するための形態を実施例に基づいて以下に説明する。
【実施例】
【００１３】
実施例に係る電子機器設置什器につき、図１から図１２を参照して説明する。
【００１４】
本実施例において、電子機器設置什器は、百貨店の化粧品売り場や催事場・物産展、小売店や飲食店等において、商品の販売を管理する所謂ＰＯＳ機器を構成する電子機器の設置に利用されるものとして説明する。尚、本発明における電子機器設置什器はＰＯＳ機器を構成する電子機器に限らず、他にも店員と客との間において対面式で利用される情報機器を構成する電子機器の設置に利用されてもよい。
【００１５】
電子機器設置什器１は、合成樹脂製によりインジェクション成形等で一体成形されており、図１に示されるように、一面に内部に電子機器を出し入れ可能な開口部２を備えた略直方体の箱状を成している。
【００１６】
電子機器設置什器１は、開口部２に対向する背面部３Ａと、これら開口部２と背面部３Ａとの間に挟まれて、筒状の周壁を形成する面部３Ｂ〜３Ｅと、内部空間の開口部２側を収納空間４Ａ，４Ｂに仕切る仕切板５と、から構成されている。対向する面部３Ｂと面部３Ｄ同士及び面部３Ｃと面部３Ｅ同士は、それぞれ平行に形成されている。
【００１７】
対向する周端縁の形状が同形状である面部３Ｂと面部３Ｄとの間には、周端縁の形状が同形状である面部３Ｃと面部３Ｅとが、それぞれ配置されている。これら面部３Ｃと面部３Ｅは、面部３Ｂ，面部３Ｄの周端縁を構成する辺１３ａ，１３ｃより若干内側にそれぞれ配置されている（図２、図３参照）。
【００１８】
図２に示されるように、面部３Ｂには開口部２側に辺１３ｄに沿って配置される長孔である取手開孔６が形成されており、開口部２に対向する背面部３Ａ側には略矩形状の配線孔７が面部３Ｂの周端縁を構成する辺１３ｂと平行に所定間隔離間して複数形成されている。同様に面部３Ｄの開口部２側には面部３Ｂに形成された取手開孔６と対向する位置に取手開孔６が形成されている（図１、図３参照）。
【００１９】
また、図２に示されるように、面部３Ｂの周端縁の内側には、周端縁を構成する辺１３ａ〜１３ｄと平行に延びる凸条１４ａ〜１４ｄが面部３Ｂの表面１３ｅから突出して形成されている。同様に、図２及び図４に示されるように、面部３Ｄの周端縁の内側には、周端縁を構成する辺１３ａ〜１３ｄと平行に延びる凸条１５ａ〜１５ｄが面部３Ｄの表面１３ｅから突出して形成されている。これら凸条１４ａ〜１４ｄ及び凸条１５ａ〜１５ｄは、それぞれ面部３Ｂまたは面部３Ｄが上面となるように電子機器設置什器１を設置した際において、面部３Ｂまたは面部３Ｄの上に設置した電子機器等の落下防止手段として機能する（図８（ａ）参照。）。
【００２０】
図４に示されるように、面部３Ｃの背面部３Ａ側には略矩形状の配線孔８が面部３Ｃの周端縁を構成する辺１６ａと平行に所定間隔離間して複数形成されている。また、面部３Ｃの開口部２側には、面部３Ｃの周端縁を構成する辺１６ｃと平行に延びる凸条１７が形成されている。
【００２１】
面部３Ｃは、面部３Ｂと面部３Ｄの周端縁を構成する辺１３ａ，１３ｃより若干内側に配置されているため、図２及び図３に示されるように、面部３Ｃの表面１６ｅより外側に面部３Ｂの辺１３ａ側の端部１３ｆ及び面部３Ｄの辺１３ａ側の端部１３ｆがそれぞれ位置し、これら端部１３ｆ，１３ｆが凸条１７とともに、面部３Ｃが上面となるように電子機器設置什器１を設置した際における落下防止手段として機能する（図９参照。）。また、面部３Ｃの背面部３Ａ側の周端縁を構成する辺１６ａである端部と、背面部３Ａと間にスリット９が形成されており、これらは若干離間している。
【００２２】
図５に示されるように、面部３Ｅには、面部３Ｅの周端縁を構成する辺１８ｂ，１８ｃ，１８ｄと平行に延びる凸条１９ｂ，１９ｃ，１９ｄが形成されており、これら凸条１９ｂ，１９ｃ，１９ｄは面部３Ｅが上面となるように電子機器設置什器１を設置した際における落下防止手段として機能する。また、図３に示されるように、面部３Ｅには、面部３Ｃのスリット９との対向位置に、面部３Ｅの背面部３Ａ側の周端縁を構成する辺１８ａである端部と、背面部３Ａと間にスリット１０が形成されている。
【００２３】
図６に示されるように、背面部３Ａは角部が矩形状に切り欠かれた形状となっており、面部３Ｅ側に奥行き方向に連通する貫通孔１１が形成されている。貫通孔１１は前述の配線孔７，８よりも開口寸法の大きい略矩形状に形成されている。また、図３に示されるように、貫通孔１１はスリット１０と連続している。
【００２４】
図３及び図７に示されるように、電子機器設置什器１の内部空間は、仕切板５により開口部２側を長寸方向で仕切られている。仕切板５は、奥行き寸法が面部３Ｃと面部３Ｅの奥行き寸法よりも短く形成された板形状となっている。面部３Ｂの裏面１３ｇ及び面部３Ｄの裏面１３ｇには、凹溝２０，２０が開口部２から面部３Ｃと面部３Ｅと平行に奥行き方向にそれぞれ形成されており、これら凹溝２０，２０に仕切板５の両端が着脱自在に係合可能となっている。
【００２５】
続いて凹溝２０の構成について説明する。尚面部３Ｂの凹溝２０と面部３Ｄの凹溝２０とは対称形状であるため、図３では面部３Ｄの凹溝２０のみを図示し説明する。凹溝２０は、面部３Ｄの開口部２側の辺１３ｄに開放された端部２０ａの幅寸法Ｗ１が本体部２０ｂの幅寸法Ｗ２よりも小さく形成されている。この端部２０ａの幅寸法Ｗ１は、仕切板５の端部の厚み寸法Ｗ３より若干広く形成されており、仕切板５を端部２０ａに対して平行に移動操作させない限り、仕切板５を凹溝２０から離脱させ難い構造となっている。言い換えると、端部２０ａは仕切板５の脱落防止手段として機能している。
【００２６】
図３に示されるように、仕切板５は、奥側端部５ａが背面部３Ａと離間して配置されている。すなわち、仕切板５は電子機器設置什器１の内部空間の開口部２側のみを仕切り、仕切板５で仕切られた両側に、それぞれ収納空間４Ａ，４Ｂを区画している。また、仕切板５の奥側は、面部３Ｃと面部３Ｅとの間に亘って連続する配線集合空間２１が形成されている。配線集合空間２１には、収納空間４Ａ，４Ｂに配置した電子機器の配線や、配線孔７，８等を介して電子機器設置什器１の外部から内部に通された配線や、後述する電源タップ３３（配線機器）を配置可能となっている。
【００２７】
続いて、電子機器設置什器１の使用態様について、主に図８から図１２を用いて説明する。先ず、ＰＯＳ機器について説明する。図８に示されるように、本実施例におけるＰＯＳ機器は、商品の値段の表示等を行うコンピュータであるタブレット端末３０と、タブレット端末３０と接続されてレシートを印刷するプリンタ３１と、タブレット端末３０と接続されるカード決済端末３２とを備えて構成されている。また、これらタブレット端末３０、プリンタ３１、カード決済端末３２からそれぞれ延びる電源ケーブル３０ａ，３１ａ，３２ａは、複数のコンセント部３３ａを備える電源タップ３３にてそれぞれ接続されている。
【００２８】
電子機器設置什器１は、ＰＯＳ機器の設置時における使用形態を図８に示される平置きと、図９に示される縦置きと、で選択可能となっている。図８（ａ）に示されるように、平置きで使用する場合には、面部３Ｂが上面となるように電子機器設置什器１を机等の上に配置する。
【００２９】
電子機器設置什器１の使い方は、特に限定されるものではないが、図８の設置例では、収納空間４Ａにプリンタ３１を収納し、面部３Ｂにタブレット端末３０とカード決済端末３２とを載置している。収納空間４Ａに収納されたプリンタ３１は、面部３Ｅと仕切板５とより左右方向の移動が規制されている。また、仕切板５の奥側、つまり配線集合空間２１には、電源タップ３３が収納されている。
【００３０】
図８（ｂ）に示されるように、面部３Ｄの裏面１３ｇにおける背面部３Ａ側には、背面部３Ａと平行に延びる鉄等の磁性体で形成された保持板３５（配線機器保持手段）が固定されており、電源タップ３３の裏面に固定された磁石（図示せず）を保持板３５に磁着させることで、電源タップ３３を電子機器設置什器１に保持可能となっている。
【００３１】
プリンタ３１の電源ケーブル３１ａは、配線集合空間２１内に配置された電源タップ３３のコンセント部３３ａに接続されており、プリンタ３１と電源タップ３３のコンセント部３３ａとの距離に対して余分な配線は配線集合空間２１内に配置される。
【００３２】
面部３Ｂの表面１３ｅに配置されたタブレット端末３０の電源ケーブル３０ａは、配線孔７を通して配線集合空間２１内に入り、電源タップ３３のコンセント部３３ａに接続されている。カード決済端末３２の電源ケーブル３２ａは、スリット９を通して配線集合空間２１内に入り、電源タップ３３のコンセント部３３ａに接続されている。これらタブレット端末３０とカード決済端末３２の電源ケーブル３０ａ，３２ａにおける、タブレット端末３０及びカード決済端末３２と電源タップ３３のコンセント部３３ａ，３３ａとの距離に対して余分な配線は配線集合空間２１内に配置される。
【００３３】
カード決済端末３２はタブレット端末３０に対して面部３Ｂの表面１３ｅ側で通信ケーブル３２ｂにより接続されている。プリンタ３１とタブレット端末３０とは、配線孔７を通る通信ケーブル３１ｂにより接続されている。また、プリンタ３１とタブレット端末３０とを接続する通信ケーブル３１ｂにおける、プリンタ３１とタブレット端末３０との距離に対して余分な配線は配線集合空間２１内に配置される。尚、カード決済端末３２とタブレット端末３０とを接続する通信ケーブル３２ｂの余分な配線は、配線孔７，８やスリット９等を通して配線集合空間２１内に配置してもよい。
【００３４】
以上説明したように、ＰＯＳ機器を構成するプリンタ３１を電子機器設置什器１の内部に設置させることで、ＰＯＳ機器を構成する電子機器の露出を少なくできる。加えて、プリンタ３１とカード決済端末３２から延びる配線である電源ケーブル３１ａ，３２ａ、プリンタ３１及びカード決済端末３２とタブレット端末３０とを接続する通信ケーブル３１ｂ，３２ｂとは、電子機器設置什器１の内部に設置されたプリンタ３１の奥側に形成された配線集合空間２１に集めて配置することができる。そのため、タブレット端末３０とプリンタ３１とカード決済端末３２とから延びる配線の露出を少なくでき、ＰＯＳ機器を構成する電子機器を美観よく設置することができる。
【００３５】
また、特にプリンタ３１を電子機器設置什器１の内部に収納設置することで、給紙孔や排紙孔からの埃の侵入を抑制でき、不具合の発生を防止する効果も奏する。
【００３６】
また、電子機器設置什器１は、筒状の周壁を形成する面部３Ｂ〜３Ｅが、それぞれ対向する面部同士が平行に形成されていることから、いずれの面部を上面にしても、当該面部の外面にタブレット端末３０等を安定的に設置させることができるとともに、上面を構成する面部の下方、即ち電子機器設置什器１の内部にプリンタ３１やカード決済端末３２等を配置できることから、ＰＯＳ機器を構成する複数の電子機器を省スペースに設置可能である。
【００３７】
また、配線孔７，８は、面部３Ｂと面部３Ｃの背面部３Ａ側に偏って配置されており、面部３Ｂと面部３Ｃにおける配線集合空間２１を構成する部分に配設されているため、配線孔７，８を通る配線が配線集合空間２１の手前側に位置する収納空間４Ａ，４Ｂに配置された電子機器と干渉し難く、電子機器設置什器１の内部空間に電子機器と配線とを効率よく配置することができる。
【００３８】
図９に示されるように、縦置きで使用する場合には、面部３Ｃが上面となるように電子機器設置什器１を机等の上に配置する。図９の設置例では、収納空間４Ａにプリンタ３１を収納配置し、面部３Ｃの外面にはカード決済端末３２を載置している。タブレット端末３０は電子機器設置什器１の外に直接配置されている。収納空間４Ａに収納されたプリンタ３１は、面部３Ｂと面部３Ｄにてその左右方向の移動が規制されている。また、仕切板５は段を形成し、仕切板５の上にその他の電子機器等を支持可能となっている。配線集合空間２１には、電源タップ３３が収納配置されている。
【００３９】
面部３Ｂの外面に配置されたカード決済端末３２の電源ケーブル３２ａは、配線孔８を通して配線集合空間２１内にて電源タップ３３のコンセント部３３ａに接続されている。電子機器設置什器１の外に配置されているタブレット端末３０の電源ケーブル３０ａは配線孔７を通して配線集合空間２１内にて電源タップ３３のコンセント部３３ａに接続されている。
【００４０】
カード決済端末３２の通信ケーブル３２ｂは、配線孔８から配線集合空間２１内に入り、配線孔７から電子機器設置什器１の外に引出されてタブレット端末３０に対して接続されている。プリンタ３１の通信ケーブル３１ｂは、配線孔７から電子機器設置什器１の外に引出されてタブレット端末３０に接続されている。
【００４１】
図１０に示されるように、電子機器設置什器１は、背面部３Ａを下方にし、開口部２が上方を向くようにすることで、ＰＯＳ機器を構成する電子機器や電源タップ３３を収納した状態で運搬することができる。また、開口部２側には、取手開孔６，６が形成されているため、運搬時に電子機器設置什器１を持ち易くなっている。
【００４２】
また、背面部３Ａに形成された貫通孔１１は、電源タップ３３が通過可能な大きさに形成されているため、一方端を電源コンセントに接続した状態で電源タップ３３のコンセント部３３ａ側を配線集合空間２１ないに挿入配置することができる。電源タップ３３を用いることによって、配線集合空間２１内において複数の電子機器の電源ケーブルをまとめることができるとともに、電子機器設置什器１の外部に露出する電源ケーブルを少なくし、美観を高めることができる。尚、貫通孔１１を通過して配線集合空間２１内に配置できる配線機器としては、電源ケーブルに限らず、スイッチングハブであってもよく、この場合、複数の電子機器の通信ケーブルをまとめることができる。
【００４３】
また、電子機器設置什器１は、図１１に示されるように電子機器設置什器１が平置きの状態で上下にスタッキングすることができるとともに、図１２に示されるように電子機器設置什器１が縦置きの状態で上下にスタッキングすることもできる。
【００４４】
図１１（ａ）に示されるように、面部３Ｄの周端縁の内側に形成された凸条１５ａ〜１５ｄは、面部３Ｂの周端縁の内側に形成された凸条１４ａ〜１４ｄよりも、より内側に配置されており、面部３Ｂと面部３Ｄとが対向するように互いの電子機器設置什器１，１’をスタッキングした際において、下段の電子機器設置什器１の面部３Ｂの凸条１４ａ〜１４ｄが上段の電子機器設置什器１’の面部３Ｄの凸条１５ａ〜１５ｄの外側に位置して係合する。そのため、スタッキング時において互いの電子機器設置什器１，１’同士が前後左右に相対移動せず、スタッキング状態を保持できる。
【００４５】
２つの電子機器設置什器１，１’をスタッキングした場合、ＰＯＳ機器の配置として、例えば図１１（ｂ）に示されるように、下段の電子機器設置什器１の仕切板５を外して、開口部２側にキャッシュドロワー３４を収納することができる。図１１（ｂ）の設置例では、キャッシュドロワー３４の通信ケーブル３４ｂは、下段の電子機器設置什器１における配線孔８から引出し、上段の電子機器設置什器１’における配線孔８’から一旦配線集合空間２１（図示略）内を介して、面部３Ｂ’の配線孔７’から面部３Ｂ’の上に載置されたタブレット端末３０と接続している。また、図１１（ｂ）の設置例では、上段の電子機器設置什器１’に配置したタブレット端末３０、プリンタ３１、カード決済端末３２の電源ケーブル３０ａ，３１ａ，３２ａは、上段のスリット９’と下段のスリット９同士で取り回されており、それぞれのスリット９’，９が最も近接する端部に電源ケーブル３０ａ，３１ａ，３２ａを配置することで、これら配線を効果的に目立ちにくくすることができ、美観に優れる。
【００４６】
図１２（ａ）に示されるように、面部３Ｅの周端縁の内側に形成された凸条１９ｂ，１９ｄ（図５参照）は、面部３Ｃの周端縁の外側に突出する面部３Ｂ，３Ｄ（図５参照）よりも内側に配置されている。そのため、下段の電子機器設置什器１の面部３Ｃと上段の電子機器設置什器１の’面部３Ｅ’とが対向するようにスタッキングした際において、上段の面部３Ｅ’の凸条１９ｂ，１９ｄが下段の面部３Ｃ側の面部３Ｂ，３Ｄの内側に位置して係合する。更に、下段の面部３Ｃに形成された凸条１７は、上段の面部３Ｄに形成された凸条１９ｃと凸条１９ｂの端部及び凸条１９ｄの端部との間に係合するようになっており、面部３Ｃ側の３Ｂ，３Ｄと面部３Ｅ’の凸条１９ｂ，１９ｄとの係合と合わせて、電子機器設置什器１，１’同士が前後左右に相対移動せず、スタッキング状態を保持できる。
【００４７】
２つの電子機器設置什器１，１’をスタッキングした場合、ＰＯＳ機器の配置として、例えば図１０（ｂ）に示されるように、下段の電子機器設置什器１の収納空間４Ａにプリンタ３１を、収納空間４Ｂにカード決済端末３２を、上段の電子機器設置什器１’の収納空間４Ａ’に別のプリンタ３１’を、収納空間４Ｂ’に別のカード決済端末３２’を、それぞれ収納させ、２台分のＰＯＳ機器を構成する電子機器を設置することができる。
【００４８】
図１０（ｂ）に示されるように、スタッキング時には、上段の電子機器設置什器１’の面部３Ｅに形成されたスリット１０’と下段の電子機器設置什器１の面部３Ｃに形成されたスリット９とが鉛直方向に重なって対向しており、上段の電子機器設置什器１’に収納したプリンタ３１’とカード決済端末３２’の電源ケーブル３１ａ’，３２ａ’は、これらスリット１０’，９を介して下段の電子機器設置什器１の配線集合空間２１に引き込み、電源タップ３３に接続することができる。また、ここでは図示しないが、上段の電子機器設置什器１’に収納したプリンタ３１’及びカード決済端末３２’の通信ケーブル３１ｂ’，３２ｂ’も同様に、これらスリット１０’，９を介して下段の電子機器設置什器１の配線集合空間２１に配置することができる。このようにスタッキング時に鉛直方向に重なって対向するスリット１０’，９間で配線が取り回されることで、配線の露出を極力少なくすることができる。
【００４９】
以上、本発明の実施例を図面により説明してきたが、具体的な構成はこれら実施例に限られるものではなく、本発明の要旨を逸脱しない範囲における変更や追加があっても本発明に含まれる。
【００５０】
例えば、前記実施例におけるＰＯＳ機器は、タブレット端末３０とプリンタ３１とカード決済端末３２とを備えて構成される例で説明したが、これに限らず、例えばバーコードリーダーやキャッシュドロワーを備えた構成の場合もある。また、これらＰＯＳ機器を構成する電子機器同士は、通信ケーブルにより接続される構成に限らず、無線で接続されていてもよく、更に電子機器はバッテリー駆動の場合もあるが、一部の電子機器が電源ケーブルや通信ケーブルを備える場合には、本発明の電子機器設置什器１を用いることでＰＯＳ機器を美観よく設置することができる。
【００５１】
また、前記実施例では、孔部を構成するものとして配線孔７，８、貫通孔１１、スリット９，１０をそれぞれ備える構成を例示したが、これら全てを備える構成に限らず、配線集合空間２１に連続する孔を１つでも備えていれば、ＰＯＳ機器を美観よく設置するための最低限の構成を成し得るため、少なくともこれら配線孔、貫通孔、スリットのうちの１つを備える構成であってもよい。
【００５２】
また、配線孔７，８は矩形状に限らず、例えば円形であってもよい。
【００５３】
また、電子機器設置什器１は略直方体の箱状に限らず、例えば対向する面部同士の幅寸法の異なる、底面が台形の四角柱形状等であってもよい。
【００５４】
また、電子機器設置什器１は、合成樹脂製によりインジェクション成形等で一体成形される構成に限らず、板体を溶接やビス止めで接続して構成されてもよい。
【００５５】
また、仕切板５は、１枚に限らず２枚以上の複数枚取付けられて収納空間を区画する構成であってもよい。
【００５６】
また、配線集合空間２１と収納空間４Ａ，４Ｂとは、配線を通す孔を備えた仕切部材により区画してもよい。
【００５７】
また、面部３Ｄの裏面１３ｇに固定されて、電源タップ３３を保持する配線機器保持手段としては、前記実施例のような鉄等の磁性体で形成された保持板３５に限らず、例えば保持板をマグネットシートとし、底面に鉄板等の磁性体を備えた電源タップと磁着可能としてもよいし、粘着シート等で保持する構成であってもよい。
【符号の説明】
【００５８】
１                電子機器設置什器
２                開口部
３Ａ              背面部
３Ｂ〜３Ｅ        面部
４Ａ，４Ｂ        収納空間
５                仕切板
５ａ              奥側端部
６，６            取手開孔
７                配線孔
８                配線孔
９                スリット
１０              スリット
１１              貫通孔
１４ａ〜１４ｄ    凸条
１５ａ〜１５ｄ    凸条
１７              凸条
１９ｂ〜１９ｄ    凸条
２０，２０        凹溝
２０              凹溝
２０ａ            端部
２１              配線集合空間
３０              タブレット端末
３１              プリンタ
３２              カード決済端末
３３ａ            コンセント部
３３              電源タップ（配線機器）
３４              キャッシュドロワー
３５              保持板
【図１】
2019145555.tif 000003
【図２】
2019145555.tif 000004
【図３】
2019145555.tif 000005
【図４】
2019145555.tif 000006
【図５】
2019145555.tif 000007
【図６】
2019145555.tif 000008
【図７】
2019145555.tif 000009
【図８】
2019145555.tif 000010
【図９】
2019145555.tif 000011
【図１０】
2019145555.tif 000012
【図１１】
2019145555.tif 000013
【図１２】
2019145555.tif 000014